(57)【特許請求の範囲】
【請求項１】
靴部と；
左右方向の一方の側の一部の部位が前記靴部に一体的に設けられ、左右方向の他方の側の一部の部位が前記靴部に着脱可能に設けられているアキレス腱保護部と；
を有することを特徴とする防護靴。
【請求項２】
半長靴状に形成された靴部と；
前記靴部の外側で前記靴部の後方に位置し、左右方向の一方の側で下方に存在する第１の部位が前記靴部に一体的に設けられており、左右方向の他方の側で下方に存在する第２の部位と左右方向の一方の側で上方に存在する第３の部位と左右方向の他方の側で上方に存在する第４の部位とが前記靴部に着脱可能になっており、前記第２の部位と前記第３の部位と前記第４の部位とを前記靴部に設置した状態では、前記靴部の後方に位置している靴部後方部位を外側から覆うアキレス腱保護部と；
を有することを特徴とする防護靴。
【請求項３】
請求項２に記載の防護靴において、
前記第１の部位が、前記靴部の内股側に存在していることを特徴とする防護靴。
【請求項４】
請求項２または請求項３に記載の防護靴において、
前記第１の部位に近接した前記アキレス腱保護部の部位が、面ファスナーによって前記靴部に対して着脱可能になっていることを特徴とする防護靴。
【請求項５】
前側上方に形成されたセンターシームとこのセンターシームの内側に設けられたベロとを備えて半長靴状に形成された靴部と；
板状の部材を曲げることによって「Ｕ」字状に形成され、左右方向の一方の側で下方に存在する部位が、人のくるぶしの近くで前記靴部の内股側に位置する外面の部位に一体的に設けられ、前記靴部に接近した状態では、上下方向から見たときに「Ｕ」字状になり、前記靴部の後方に位置している靴部後方部位を外側から覆うアキレス腱保護部と；
先端部側に面ファスナーの係合部が設けられ、基端部が前記センターシームに隣接する前記靴部の内股側の縁の近くで前記靴部の外面上方に一体的に設けられたベルトと；
前記ベルトの面ファスナーの係合部が係合する被係合部であって、前記ベルトの中間部に設けられたベルト用被係合部と；
前記ベロの外面上方に設けられ前記ベルトが貫通するベロ支持部材と；
前記アキレス腱保護部の前記靴部側の面で、前記アキレス腱保護部に一体的に設けられている部位に近接して設けられた第１の面ファスナー係合部と；
前記アキレス腱保護部の前記靴部側の面で、前記アキレス腱保護部の左右方向の他方の側の下方に設けられた第２の面ファスナー係合部と；
前記アキレス腱保護部の左右方向の一方の側で上方に設けられ、前記ベルトが貫通する第１の貫通孔と；
前記アキレス腱保護部の左右方向の他方の側で上方に設けられ、前記ベルトが貫通する第２の貫通孔と；
前記靴部の外面で内股側の下方に設けられ、前記第１の面ファスナー係合部が係合する第１の面ファスナー被係合部と；
前記靴部の外面で外股側の下方に設けられ、前記第２の面ファスナー係合部が係合する第２の面ファスナー被係合部と；
を有することを特徴とする防護靴。
【請求項６】
前側上方に形成されたセンターシームとこのセンターシームの内側に設けられたベロとを備えて半長靴状に形成された靴部と；
前記センターシームに隣接する前記靴部の内股側の縁の近くで前記靴部の外面上方に一体的に設けられた環状の支持部材と；
板状の部材を曲げることによって「Ｕ」字状に形成され、左右方向の一方の側で下方に存在する部位が、人のくるぶしの近くで前記靴部の内股側に位置する外面の部位に一体的に設けられており、また、左右方向の一方の側で上方に存在する第１の貫通孔に前記環状の支持部材が通って支持され、前記靴部に接近した状態では、上下方向から見たときに「Ｕ」字状になり、前記靴部の後方に位置している靴部後方部位を外側から覆うアキレス腱保護部と；
先端部側に面ファスナー係合部が設けられ、基端部が前記センターシームに隣接する前記靴部の外股側の縁の近くで前記靴部の外面上方に一体的に設けられ、前記基端部側に前記先端部側の面ファスナー係合部が係合する面ファスナー被係合部が設けられているベルトと；
前記アキレス腱保護部の前記靴部側の面で、前記アキレス腱保護部に一体的に設けられている下方の部位に近接して設けられた第１の面ファスナー係合部と；
前記アキレス腱保護部の前記靴部側の面で、左右方向の他方の側の下方に設けられた第２の面ファスナー係合部と；
左右方向の他方の側で前記アキレス腱保護部の上方に設けられ、前記ベルトが貫通する第２の貫通孔と；
前記靴部の外面で内股側の下方に設けられ、前記第１の面ファスナー係合部が係合する第１の面ファスナー被係合部と；
前記靴部の外面で外股側の下方に設けられ、前記第２の面ファスナー係合部が係合する第２の面ファスナー被係合部と；
を有することを特徴とする防護靴。
【請求項７】
前側上方に形成されたセンターシームとこのセンターシームの内側に設けられたベロとを備えて半長靴状に形成された靴部と；
先端部側に面ファスナー係合部が設けられ、基端部が前記センターシームに隣接する前記靴部の内股側の縁の近くで前記靴部の外面上方に一体的に設けられ、前記基端部側に前記先端部側の面ファスナー係合部が係合する面ファスナー被係合部が設けられている第１のベルトと；
先端部側に面ファスナー係合部が設けられ、基端部が前記センターシームに隣接する前記靴部の外股側の縁の近くで前記靴部の外面上方に一体的に設けられ、前記基端部側に前記先端部側の面ファスナー係合部が係合する面ファスナー被係合部が設けられている第２のベルトと；
板状の部材を曲げることによって「Ｕ」字状に形成され、左右方向の一方の側で下方に存在する部位が、人のくるぶしの近くで前記靴部の内股側に位置する外面の部位に一体的に設けられており、また、左右方向の他方の側で下方に存在する部位が、人のくるぶしの近くで前記靴部の外股側に位置する外面の部位に一体的に設けられ上下方向から見たときに「Ｕ」字状になり、前記靴部の後方に位置している靴部後方部位を外側から覆うアキレス腱保護部と；
前記アキレス腱保護部の左右方向の一方の側で上方に設けられ、前記第１のベルトが貫通する第１の貫通孔と；
前記アキレス腱保護部の左右方向の他方の側で上方に設けられ、前記第２のベルトが貫通する第２の貫通孔と；
を有することを特徴とする防護靴。
【請求項８】
靴部と；
一部の部位が前記靴部に設けられており、他の一部の部位が前記靴部に着脱可能になっているアキレス腱保護部と；
を有することを特徴とする防護靴。
【発明の詳細な説明】
【技術分野】
【０００１】
本発明は、防護靴に係り、特に、アキレス腱およびくるぶしを保護する部位を備えたものに関する。
【背景技術】
【０００２】
運送会社や工場内において様々な台車が使用されている。台車を使用する際、荷物等が高く積載されていると良好な前方視界を確保することが困難な場合がある。また、作業中に台車が他の作業者の脚に接触するおそれがある。
【０００３】
ここで、台車の高さ（台車の荷物載置板の高さ）は、作業者のアキレス腱の高さとほぼ一致しているので、前記接触によって作業車のアキレス腱が傷つかないようにすることが重要である。
【０００４】
前述した作業においてアキレス腱を保護する従来の保護具として、たとえば、特許文献１に記載のものが知られている。
【０００５】
前記従来のアキレス腱保護具では、板状の本体部でアキレス腱を覆うべく前記本体部を脚の後側に装着する場合、作業者が安全靴等の靴を履いた上で、本体部の下側で前記本体部から横方向に延びている下部のベルトと、本体部の上側で前記本体部から横方向に延びている上部のベルトとを用いて、前記装着を行なっている。
【特許文献１】意匠登録第１２８５１９１号公報
【発明の開示】
【発明が解決しようとする課題】
【０００６】
ところで、前記従来のアキレス腱保護具は、アキレス腱保護具の装着方法を誤ると、アキレス腱保護具が作業中にずれてアキレス腱の保護が不充分になってしまうという問題がある。
【０００７】
本発明は、前記問題点に鑑みてなされたものであり、履いたときに人のアキレス腱を保護する防護靴において、アキレス腱を的確に保護することができる防護靴を提供することを目的とする。
【課題を解決するための手段】
【０００８】
請求項１に記載の発明は、靴部と、左右方向の一方の側の一部の部位が前記靴部に一体的に設けられ、左右方向の他方の側の一部の部位が前記靴部に着脱可能に設けられているアキレス腱保護部とを有する防護靴である。
【０００９】
請求項２に記載の発明は、半長靴状に形成された靴部と、前記靴部の外側で前記靴部の後方に位置し、左右方向の一方の側で下方に存在する第１の部位が前記靴部に一体的に設けられており、左右方向の他方の側で下方に存在する第２の部位と左右方向の一方の側で上方に存在する第３の部位と左右方向の他方の側で上方に存在する第４の部位とが前記靴部に着脱可能になっており、前記第２の部位と前記第３の部位と前記第４の部位とを前記靴部に設置した状態では、前記靴部の後方に位置している靴部後方部位を外側から覆うアキレス腱保護部とを有する防護靴である。
【００１０】
請求項３に記載の発明は、請求項２に記載の防護靴において、前記第１の部位が、前記靴部の内股側に存在している防護靴である。
【００１１】
請求項４に記載の発明は、請求項２または請求項３に記載の防護靴において、前記第１の部位に近接した前記アキレス腱保護部の部位が、面ファスナーによって前記靴部に対して着脱可能になっている防護靴である。
【００１２】
請求項５に記載の発明は、前側上方に形成されたセンターシームとこのセンターシームの内側に設けられたベロとを備えて半長靴状に形成された靴部と、板状の部材を曲げることによって「Ｕ」字状に形成され、左右方向の一方の側で下方に存在する部位が、人のくるぶしの近くで前記靴部の内股側に位置する外面の部位に一体的に設けられ、前記靴部に接近した状態では、上下方向から見たときに「Ｕ」字状になり、前記靴部の後方に位置している靴部後方部位を外側から覆うアキレス腱保護部と、先端部側に面ファスナーの係合部が設けられ、基端部が前記センターシームに隣接する前記靴部の内股側の縁の近くで前記靴部の外面上方に一体的に設けられたベルトと、前記ベルトの面ファスナーの係合部が係合する被係合部であって、前記ベルトの中間部に設けられたベルト用被係合部と、前記ベロの外面上方に設けられ前記ベルトが貫通するベロ支持部材と、前記アキレス腱保護部の前記靴部側の面で、前記アキレス腱保護部に一体的に設けられている部位に近接して設けられた第１の面ファスナー係合部と、前記アキレス腱保護部の前記靴部側の面で、前記アキレス腱保護部の左右方向の他方の側の下方に設けられた第２の面ファスナー係合部と、前記アキレス腱保護部の左右方向の一方の側で上方に設けられ、前記ベルトが貫通する第１の貫通孔と、前記アキレス腱保護部の左右方向の他方の側で上方に設けられ、前記ベルトが貫通する第２の貫通孔と、前記靴部の外面で内股側の下方に設けられ、前記第１の面ファスナー係合部が係合する第１の面ファスナー被係合部と、前記靴部の外面で外股側の下方に設けられ、前記第２の面ファスナー係合部が係合する第２の面ファスナー被係合部とを有する防護靴である。
【００１３】
請求項６に記載の発明は、前側上方に形成されたセンターシームとこのセンターシームの内側に設けられたベロとを備えて半長靴状に形成された靴部と、前記センターシームに隣接する前記靴部の内股側の縁の近くで前記靴部の外面上方に一体的に設けられた環状の支持部材と、板状の部材を曲げることによって「Ｕ」字状に形成され、左右方向の一方の側で下方に存在する部位が、人のくるぶしの近くで前記靴部の内股側に位置する外面の部位に一体的に設けられており、また、左右方向の一方の側で上方に存在する第１の貫通孔に前記環状の支持部材が通って支持され、前記靴部に接近した状態では、上下方向から見たときに「Ｕ」字状になり、前記靴部の後方に位置している靴部後方部位を外側から覆うアキレス腱保護部と、先端部側に面ファスナー係合部が設けられ、基端部が前記センターシームに隣接する前記靴部の外股側の縁の近くで前記靴部の外面上方に一体的に設けられ、前記基端部側に前記先端部側の面ファスナー係合部が係合する面ファスナー被係合部が設けられているベルトと、前記アキレス腱保護部の前記靴部側の面で、前記アキレス腱保護部に一体的に設けられている下方の部位に近接して設けられた第１の面ファスナー係合部と、前記アキレス腱保護部の前記靴部側の面で、左右方向の他方の側の下方に設けられた第２の面ファスナー係合部と、左右方向の他方の側で前記アキレス腱保護部の上方に設けられ、前記ベルトが貫通する第２の貫通孔と、前記靴部の外面で内股側の下方に設けられ、前記第１の面ファスナー係合部が係合する第１の面ファスナー被係合部と、前記靴部の外面で外股側の下方に設けられ、前記第２の面ファスナー係合部が係合する第２の面ファスナー被係合部とを有する防護靴である。
【００１４】
請求項７に記載の発明は、前側上方に形成されたセンターシームとこのセンターシームの内側に設けられたベロとを備えて半長靴状に形成された靴部と、先端部側に面ファスナー係合部が設けられ、基端部が前記センターシームに隣接する前記靴部の内股側の縁の近くで前記靴部の外面上方に一体的に設けられ、前記基端部側に前記先端部側の面ファスナー係合部が係合する面ファスナー被係合部が設けられている第１のベルトと、先端部側に面ファスナー係合部が設けられ、基端部が前記センターシームに隣接する前記靴部の外股側の縁の近くで前記靴部の外面上方に一体的に設けられ、前記基端部側に前記先端部側の面ファスナー係合部が係合する面ファスナー被係合部が設けられている第２のベルトと、板状の部材を曲げることによって「Ｕ」字状に形成され、左右方向の一方の側で下方に存在する部位が、人のくるぶしの近くで前記靴部の内股側に位置する外面の部位に一体的に設けられており、また、左右方向の他方の側で下方に存在する部位が、人のくるぶしの近くで前記靴部の外股側に位置する外面の部位に一体的に設けられ上下方向から見たときに「Ｕ」字状になり、前記靴部の後方に位置している靴部後方部位を外側から覆うアキレス腱保護部と、前記アキレス腱保護部の左右方向の一方の側で上方に設けられ、前記第１のベルトが貫通する第１の貫通孔と、前記アキレス腱保護部の左右方向の他方の側で上方に設けられ、前記第２のベルトが貫通する第２の貫通孔とを有する防護靴である。
【００１５】
請求項８に記載の発明は、靴部と、一部の部位が前記靴部に設けられており、他の一部の部位が前記靴部に着脱可能になっているアキレス腱保護部とを有する防護靴である。
【発明の効果】
【００１６】
本発明によれば、履いたときに人のアキレス腱およびくるぶしを保護する防護靴において、アキレス腱を的確に保護することができるという効果を奏する。
【発明を実施するための最良の形態】
【００１７】
[第１の実施形態]
図１〜図２２は、本発明の第１の実施形態に係る防護靴１の構成を示す図である。なお、図８、図９は、図１におけるＶＩＩＩ矢視図であり防護靴１の側面図である。また、図１０、図１１は、図１におけるＸ矢視図であり防護靴１の側面図である。
【００１８】
各図に示す防護靴１は、左足用の靴であり、右足用の防護靴は、各図に示す防護靴１を平らな鏡面に映した形態になっている。
【００１９】
防護靴１は、たとえば台車を使用する運送会社や工場内において使用されるものであり、靴部３とアキレス腱保護部（アキレス腱保護具）５とを備えて構成されている。
【００２０】
靴部（靴に相当する部位）３は、その中に人（作業者）が足を入れて歩行するために用いるものであり、半長靴状に形成されている。すなわち、靴部３は、短靴に相当する部位７を下側に備え、上の履き口９側に筒状部位１１を備えて、半長靴状に形成されている。したがって、人が靴部３の中に足を入れて靴部３を履いた状態では、靴部３の上端の履き口９が、人のかかとと膝の中間部に位置することになり、筒状部位１１のうちの後方に位置している部位がアキレス腱を覆うようになっている。なお、アキレス腱を覆うのであれば靴部３が長靴状等他の形状であってもよい。なお、靴部３の表皮は、合成皮革等で構成されているが、天然皮革等の他の材料で構成されていてもよい。
【００２１】
アキレス腱保護部５は、たとえば、低発泡ポリエチレンまたは低発泡ポリウレタンのごとき硬質の合成樹脂で板状の部材を曲げることによって「Ｕ」字状に形成された部材を皮革で覆う等して構成されており、靴部３の外側で靴部３の後方に位置している。また、アキレス腱保護部５は、左右方向の一方の側で下方に存在する第１の部位（この部位には、硬質の部材は存在していない。）１３が、靴部３の外面の一部にたとえば縫製により一体的に設けられている。これにより、靴部３に対し、第１の部位１３以外の部位が第１の部位１３を中心にして、靴部３に対して接近もしくは離反する方向で回動自在になっている。
【００２２】
ここで、本実施形態における左右方向とは、図８の紙面に対して直交する方向であり、紙面の表側を左、紙面の裏側を右として説明する。
【００２３】
また、アキレス腱保護部５は、左右方向の他方の側で下方に存在する第２の部位１５と左右方向の一方の側で上方に存在する第３の部位１７と左右方向の他方の側で上方に存在する第４の部位１９とが、位置決め調整されて靴部３の外面の一部に着脱可能になっている。
【００２４】
そして、第２の部位１５と第３の部位１７と第４の部位１９とを靴部３に設置した状態で、アキレス腱保護部５が、靴部３の後方に位置している靴部後方部位を外側から覆うと共に、第１の部位１３と第２の部位１５とを中心にして僅かに回動する（図８や図１０の矢印参照）ようになっている。
【００２５】
さらに、第２の部位１５と第３の部位１７と第４の部位１９とを靴部３に設置した状態では、アキレス腱保護部５が、上下方向から見たときに「Ｕ」字状になり、靴部後方部位に倣うようにして靴部後方部位を覆っている。そして、荷物運搬台車等の衝突・衝撃から、作業者のかかと部、足首部、アキレス腱、ふくらはぎ等を保護するようになっている。
【００２６】
一方、第２の部位１５と第３の部位１７と第４の部位１９とを靴部３から離した状態では、第１の部位１３を中心に回動して靴部３から大きく離れることができるようになっている（図６、図７、図１１参照）。ただし、第１の部位１３が靴部３に一体的に設けられているので、アキレス腱保護部５が靴部３から離れて別体になってしまうことはない。
【００２７】
ところで、第１の部位１３と第３の部位１７とは、靴部３の内股側に存在している。ここで、内股側とは、防護靴１（靴部３）を人が履いた場合、足の子指側ではなくて親指の側をいう。つまり、右足用の防具靴であれば左側、左足用の防具靴であれば右側をいう。
【００２８】
また、防護靴１では、第１の部位１３に近接したアキレス腱保護部５の部位が、たとえば、マジックテープ（登録商標）のごとき面ファスナーによって靴部３に対して着脱可能になっている（図６、図１１参照）。
【００２９】
防護靴１についてさらに詳しく説明する。
【００３０】
靴部３には、センターシーム（切り欠き）２１と帯状のベロ（砂よけ）２３とが設けられている。センターシーム２１は、所定の幅、所定の長さ（高さ）で靴部３の前側上方に形成されている。ベロ２３は、センターシーム２１の内側に設けられている。
【００３１】
センターシーム２１の下方にはセンターシーム２１をベロ２３と共に適宜閉じるための靴紐２５が設けられている。また、靴部３のトウ部にはトウガード２８が設けられている。このトウガード２８は、たとえば硬質ゴムのごとき衝撃力を吸収しやすい材料で形成され、表面の多数の凸部を備えている。そして、内股側を除いたトウ部を覆うようにして靴部３に一体的に設けられている。このようにトウガード２８が設けられていることにより、作業者の歩行時における防護靴１のつま先部への衝撃から防護靴１を保護することができる。なお、内股側にトウガード２８が設けられていないので、歩行時の擦れ（他方の防護靴との擦れ）によるトウガード２８の破損が発生しにくくなっている。
【００３２】
アキレス腱保護部５は、前述したように「Ｕ」字状に形成されており、左右方向の一方の側で下方に存在する部位１３が、靴部３を履いたときに人のくるぶしの近くで靴部３の内股側に位置する外面の部位に一体的に設けられている。これにより、靴部３に対し回動自在になっている。なお、部位１３は、子指側ではなく親指側のくるぶしの近くに位置する靴部３の外面の部位である。換言すれば、部位１３は、右足用の防護靴にあっては、左足と対向しているくるぶしの近くに位置する靴部の外面の部位であり、左足用の防護靴にあっては、右足と対向しているくるぶしの近くに位置する靴部の外面の部位である。
【００３３】
また、アキレス腱保護部５の外側（靴部３とは反対側；後側）の面には、光を反射する光反射材２７が設けられており、夜間等の暗い環境での作業時における視認性が向上し安全性が向上する。
【００３４】
靴部３には、帯状のベルト２９が一体的に設けられている。ベルト２９の先端部側には面ファスナーの係合部３１が設けられており、ベルト２９の基端部がセンターシーム２１に隣接する靴部３の一方の縁（内股側の縁）の近くで靴部３の外面上方に設けられている。
【００３５】
ベルト２９の中間部（先端部側の中間部）には、ベルト用被係合部３３が設けられている。ベルト用被係合部３３は、ベルト２９の面ファスナーの係合部３１が係合する面ファスナーの被係合部である。ベロ２３の外面上方には、ベルト２９が貫通するベロ支持部材３７が設けられている。ベロ支持部材３７は、ベロ２３と協働してベルト２９が貫通する環状の部位を形成しているが、ベロ支持部材３７のみでベルト２９が貫通する環状の部位を形成している構成であってもよい。
【００３６】
アキレス腱保護部５の靴部３側の面には、第１の面ファスナー係合部３９と第２の面ファスナー係合部４１とが一体的に設けられている。第１の面ファスナー係合部３９は、第１の部位１３に近接して設けられており（アキレス腱保護部５の左右方向の一方の側で下方に設けられており）、第２の面ファスナー係合部４１は、アキレス腱保護部５の左右方向の他方の側で下方に設けられている。
【００３７】
また、アキレス腱保護部５には、ベルト２９が貫通するための第１の貫通孔４３と第２の貫通孔４５とが設けられている。第１の貫通孔４３は、アキレス腱保護部５の左右方向の一方の側で上方に設けられており、第２の貫通孔４５は、アキレス腱保護部５の左右方向の他方の側で上方に設けられている。
【００３８】
靴部３には、第１の面ファスナー被係合部４７と第２の面ファスナー被係合部４９とが一体的に設けられている。第１の面ファスナー被係合部４７は、靴部３の外面で靴部３の左右方向の一方の側（内股側）の下方に設けられており、第１の面ファスナー被係合部４７には、第１の面ファスナー係合部３９が係合するようになっている。第２の面ファスナー被係合部４９は、靴部３の外面で靴部３の左右方向の他方の側（外股側；内股側の反対側）の下方に設けられており、第２の面ファスナー係合部４１が係合するようになっている。なお、第２の面ファスナー被係合部４９は、靴部３を履いたときに人のくるぶしの近くで靴部３の外股側に位置する外面の部位に位置している。
【００３９】
そして、第１の面ファスナー係合部３９が第１の面ファスナー被係合部４７に係合し、第２の面ファスナー係合部４１が第２の面ファスナー被係合部４９に係合した状態で、第１の貫通孔４３とベロ支持部材３７と第２の貫通孔４５とをベルト２９が貫通し、ベルト２９の先端の面ファスナー係合部３１がベルト用被係合部３３に係合することにより、ベロ２３が靴部３の内部へ落下しまた巻き込まれる等することなく、センターシーム２１を塞ぐ位置で支持されるようになっている。また、アキレス腱保護部５が、上下方向から見たときに「Ｕ」字状になり、靴部３の後方に位置している靴部後方部位を外側から覆って、靴部３に設置されるようになっている。
【００４０】
ここで、防護靴１を作業者が履く場合について説明する。
【００４１】
まず、図６、図７、図１１に示すように、防護靴１において、アキレス腱保護部５を靴部３から離しておき、人が靴部３を履く。
【００４２】
続いて、アキレス腱保護部５を回動して、第１の部位１３の近くにある面ファスナー２２の係合部３９を被係合部４７に係合し、アキレス腱保護部５をさらに回動して、面ファスナーの係合部４１を被係合部４９に係合する。これにより、アキレス腱保護部５が靴部３の靴部後方部位をほぼ覆うようになる。
【００４３】
続いて、第１の貫通孔４３とベロ支持部材３７と第２の貫通孔４５とをベルト２９が貫通し、ベルト２９の先端の面ファスナー係合部３１がベルト用被係合部３３に係合する。これにより、アキレス腱保護部５が靴部３のしっかりと支持され、防護靴１を履く動作（装着する動作）が終了する。
【００４４】
なお、防護靴１の履き方は上記のような手順に限られるものではなく、単にベルト２９を緩め、靴内に足を入れてからベルト２９を締める、といった手順でも履くことができる。
【００４５】
防護靴１によれば、作業者が防護靴１を履いた後に、靴部３に一体的に設けられている第１の部位１３を中心にしてアキレス腱保護部５を靴部後方部位に接触もしくは接触する直前の程度まで回動して、第２の部位１５（たとえば、係合部４１）と第３の部位１７（たとえば、第１の貫通孔４３に相当する部位）と第４の部位１９（たとえば、第２の貫通孔４５に相当する部位）とを靴部３に設置するので、靴部３に対するアキレス腱保護部５の装着の位置ずれや作業中における位置ずれが発生し難くなっている。したがって、作業者のアキレス腱の部分をアキレス腱保護部５で正確に覆うことができ台車等の衝突に対してアキレス腱を的確に保護することができる。
【００４６】
また、防護靴１によれば、アキレス腱保護部５が靴部３から分離しないように一体的になっているので、アキレス腱保護部５の紛失を防止することができると共に、作業中にアキレス腱保護部５が靴部３や作業者の足から脱落してアキレス腱保護部５が損傷するおそれを回避することができる。
【００４７】
また、防護靴１によれば、第２の部位１５と第３の部位１７と第４の部位１９とが、靴部３に設置されていない状態では、アキレス腱保護部５が靴部３から大きく離れるように回動するので、作業者が防護靴１を履きやすくなっていると共に、アキレス腱保護部５の装着は、アキレス腱保護部５を回動して、第２の部位１５と第３の部位１７と第４の部位１９とを靴部３に設置すればよいので、アキレス腱保護部５の装着が容易になっている。
【００４８】
さらに、防護靴１によれば、第２の部位１５と第３の部位１７と第４の部位１９とを靴部３に設置した状態であっても、第１の部位１３と第２の部位１５とを中心にしてアキレス腱保護部５が僅かに回動する（アキレス腱保護部の上側が回動する；図８や図１０の矢印参照）ようになっているので、防護靴１を履いた作業者が足首を曲げるときにおける防護靴１の抵抗が小さくなっており、防護靴１を履いた作業者が足首等に違和感を感じることがほとんどなく、作業がしやすくなっている。
【００４９】
また、防護靴１によれば、第２の部位１５と第３の部位１７と第４の部位１９とを靴部３に設置する際、靴部３に対するアキレス腱保護部５の位置を微調整することが容易にでき、作業者の足の形態等に合致した態様で防護靴１を使用することができる。
【００５０】
また、防護靴１によれば、第１の部位１３が、靴部３の内股側に存在しているので、使用による経年変化により靴部３からアキレス腱保護部５が脱落して分離してしまう事態を極力回避することができる。すなわち、防護靴１の内股側の部位は、他方の防護靴に対向しているので、作業者の歩行等によって他方の防護靴に接触して擦れる等する。しかし、防護靴１では、靴部３に一体的に設けられているアキレス腱保護部の第１の部位１３が、防護靴１の内股側になっている。そして、第１の部位１３が縫製等によって一体的に設けられているので、他方の防護靴の接触しても破損等しにくくなっている。したがって、使用による経年変化によって靴部３からアキレス腱保護部５が脱落等することを極力防止することができる。
【００５１】
さらに、防護靴１によれば、第１の部位１３に近接したアキレス腱保護部５の部位（係合部４１）が、面ファスナーにより靴部３に対して着脱可能になっているので、第２の部位１５と第３の部位１７と第４の部位１９とを靴部３に設置する前に、靴部３に対するアキレス腱保護部５の姿勢を微調整することができる。また、第１の部位１３に近接したアキレス腱保護部５の部位が、面ファスナーによって靴部３に対して着脱可能になっているので、第１の部位１３においてアキレス腱保護部５と靴部３との接続強度を向上させることができる。
【００５２】
また、防護靴１によれば、ベルト２９を用いて、ベロ２３やアキレス腱保護部５を支持するようにしているので、防護靴１を作業者が履く場合、ベロ２３の位置やアキレス腱保護部５の位置を微調整することができると共に、防護靴１を作業者が履いて作業をする場合、ベロ２３やアキレス腱保護部５の位置が靴部３に対して僅かではあるが容易に変化する（図８や図１０の矢印参照）。したがって、防護靴１のフィット感が向上していると共に、防護靴１を履いた作業者が足首等を動かしやすくなっており、違和感なく作業をすることができる。
【００５３】
ここで、アキレス腱保護部５の変形例について説明する。
【００５４】
図１５は上記説明をしてきたアキレス腱保護部５の形態を示す図である。なお、アキレス腱保護部５は、ほぼ左右対称に形成されている。図１５では、靴部３にアキレス腱保護部５を設置してある状態において、高さ方向では、アキレス腱保護部５の上端は、靴部３の履き口９よりも僅かに下方に位置しているが、靴部３の履き口９と同じ位置もしくは履き口９よりも僅かに上方に位置している形態であってもよい。また、アキレス腱保護部５の下端は、たとえば、靴部３のヒール（靴底部）よりの上のヒールカップの下端に位置している。
【００５５】
防護靴１を作業者が履いた状態では、アキレス腱保護部５等によって、アキレス腱の他に左右のくるぶしの部分や足首の後側部分も保護することができるようになっている。さらに、靴部３を長靴状にしてアキレス腱保護部５の上端を高くすれば、ふくらはぎの上部を保護することができる。
【００５６】
図１５では、くるぶしを保護するために、下側に三角形状の部位５１が左右に突出して設けられている。また、ベルト２９が通る貫通孔４３、４５を形成するために、上側には、台形状の部位５３が左右に突出して設けられている。なお、突出の程度は、三角形状の部位５１のほうが大きくなっている。また、三角形状の突出部位５１と台形状の突出部位５３が設けられていることによって、高さ方向の中間部の左右両側には、三角形状の切り欠き部５５が形成されている。
【００５７】
図１６は、図１５に示すアキレス腱保護部において、切り欠き部５５を削除したものである。切り欠き部５５を削除したことによって、台形状の突出部位が消失し、アキレス腱保護部の上側の左右両側には、上下方向に延びた直線状の部位５７が形成されている。
【００５８】
図１７は、図１６に示すアキレス腱保護部において、上下方向に延びた直線状の部位を短くし、貫通孔４５、４７の下部から三角形状の突出部位５９を形成してあるものである。
【００５９】
図１８は、図１７に示すアキレス腱保護部において、上下方向に延びた直線部分を無くし、アキレス腱保護部の上方から三角形状の大きな突出部位６１を形成してあるものである。
【００６０】
図１９は、図１５において、台形状の部位６３の突出の程度を、三角形状の部位５１の突出の程度とほぼ同じにしたものである。図１９に示すアキレス腱保護部でも、図１５に示すもののように、高さ方向の中間部の左右両側には、三角形状の切り欠き部６５が形成されている。
【００６１】
図２０は、図１９に示すアキレス腱保護部において、切り欠き部６５を削除したものである。図２１は、図１５に示すアキレス腱保護部において、三角形状の突出部位５１を削除したものである。図２２は、図１７に示すアキレス腱保護部において、三角形状の突出部位５９を削除したものである。
【００６２】
なお、面ファスナーの係合部４１や被係合部４９、および、面ファスナー２２の係合部４１や被係合部４７、は、図６等に示すものでは、かかと部から甲部に向かって斜め上方に延びた帯状に形成され設けられているが、図１２に示すような三角形状に形成されて、かかと部から遠く離れて足の甲部側に短く設けられていてもよい。
【００６３】
[第２の実施形態]
図２３〜図２７は、本発明の第２の実施形態に係る防護靴１ａの構成を示す図である。
【００６４】
本発明の第２の実施形態に係る防護靴１ａは、アキレス腱保護部５やベロ２３の支持形態が、第１の実施形態に係る防護靴１とは異なり、その他の点は、第１の実施形態に係る防護靴１とほぼ同様に構成されており、ほぼ同様の効果を奏するようになっている。
【００６５】
本発明の第２の実施形態に係る防護靴１ａは、センターシーム２１とこのセンターシーム２１の内側に設けられたベロ２３とを備えて半長靴状に形成された靴部３と、センターシーム２１に隣接する靴部３の内股側の縁の近くで靴部３の外面上方に一体的に設けられた帯状で環状の支持部材６７と、アキレス腱保護部５とを備えている。
【００６６】
アキレス腱保護部５は、左右方向の一方の側で下方に存在する部位１３が、人のくるぶしの近くで靴部３の内股側に位置する外面の部位に一体的に設けられており、また、左右方向の一方の側で上方に存在する第１の貫通孔６９に環状の支持部材６７が通って支持されていることによって、靴部３に対し回動自在になっていると共に、靴部３に接近した状態では、上下方向から見たときに「Ｕ」字状になり、靴部３の後方に位置している靴部後方部位を外側から覆うようになっている。
【００６７】
また、防護靴１ａは、防護靴１と同様にして、第１の面ファスナー係合部３９と、第１の面ファスナー被係合部４７とを備えている。
【００６８】
さらに、防護靴１ａは、帯状のベルト７１と、第２の面ファスナー係合部７３と、第２の面ファスナー被係合部７５とを備えている。帯状のベルト７１は、先端部側に面ファスナー係合部７７が設けられており、基端部がセンターシーム２１に隣接する靴部３の外股側の縁の近くで靴部３の外面上方に一体的に設けられており、基端部側に先端部側の面ファスナー係合部７７が係合する面ファスナー被係合部７９が設けられている。ベルト７１の先端部側の面ファスナー係合部７７が基端部側の面ファスナー被係合部７９に係合することにより、ベルト７１は環状の支持部材６７とほぼ同様の形態になる。
【００６９】
第２の面ファスナー係合部７３は、アキレス腱保護部５の靴部３側の面で、左右方向の他方の側でアキレス腱保護部５の下方に設けられており、第２の面ファスナー被係合部７５は、靴部３の外面で靴部３の左右方向の他方の側の下方に設けられており、第２の面ファスナー係合部７３が係合するようになっている。
【００７０】
アキレス腱保護部５の左右方向の他方の側の上方には、ベルト７１が貫通する第２の貫通孔８１が設けられている。
【００７１】
また、センターシーム２１に隣接する靴部３の左右方向の部位の両側上方で靴部３の内側には、センターシーム部面ファスナーの係合部８３が設けられており、ベロ２３の左右方向の両側上方には、センターシーム部面ファスナーの係合部８３に係合するベロ部面ファスナー被係合部８５が設けられている。
【００７２】
そして、第２の面ファスナー係合部７３が第２の面ファスナー被係合部７５に係合し、ベルト７１が、アキレス腱保護部５の第２の貫通孔８１を通ってアキレス腱保護部５を支持し、センターシーム部面ファスナーの係合部８３がベロ部面ファスナー被係合部８５に係合していることにより、ベロ２３が靴部３の内部へ落下しまた巻き込まれる等することなく、センターシーム２１を塞ぐ位置で支持されるようになっている。また、アキレス腱保護部５が、上下方向から見たときに「Ｕ」字状になり、靴部３の後方に位置している靴部後方部位を外側から覆うようになっている。
【００７３】
[第３の実施形態]
図２８〜図３３は、本発明の第３の実施形態に係る防護靴１ｂの構成を示す図である。
【００７４】
本発明の第３実施形態に係る防護靴１ｂは、アキレス腱保護部５やベロ２３の支持形態が、第２の実施形態に係る防護靴１ａとは異なり、その他の点は、第２の実施形態に係る防護靴１ａとほぼ同様に構成されており、ほぼ同様の効果を奏するようになっている。
【００７５】
本発明の第３実施形態に係る防護靴１ｂは、センターシーム２１とこのセンターシーム２１の内側に設けられたベロ２３とを備えて半長靴状に形成された靴部３と、第１の帯状のベルト８７と第２の帯状のベルト８９とアキレス腱保護部５とを備えて構成されている。第１の帯状のベルト８７や第２の帯状のベルト８９は、面ファスナー係合部と被係合部とを備えて、第２の実施形態に係るベルト７１とほぼ同様に構成されている。
【００７６】
第１の帯状のベルト８７は、基端部がセンターシーム２１に隣接する靴部３の内股側の縁の近くで靴部３の外面上方に一体的に設けられている。第２の帯状のベルト８９は、基端部がセンターシーム２１に隣接する靴部３の外股側の縁の近くで靴部３の外面上方に一体的に設けられている。
【００７７】
アキレス腱保護部５は、左右方向の一方の側で下方に存在する部位が、人のくるぶしの近くで靴部３の内股側に位置する外面の部位に、たとえばリベット９１により一体的に設けられており、また、左右方向の一方の側で下方に存在する部位が、人のくるぶしの近くで靴部３の外股側に位置する外面の部位に、たとえば、リベット９３により一体的に設けられている。そして、各一体的に設置されている部位（各リベット９１、９３）を中心にし靴部３に対して接近もしくは離反する方向で僅かに回動自在になっている。なお、リベットの代わりにドットボタンを用いてアキレス腱保護部５を支持し、アキレス腱保護部５を靴部３から取り外しできるような構成にしてもよい。
【００７８】
また、アキレス腱保護部５の左右方向の一方の側の上方には、第１のベルト８７が貫通する第１の貫通孔９５が設けられており、アキレス腱保護部５の左右方向の他方の側の上方には、第２のベルト８９が貫通する第２の貫通孔９７が設けられている。
【００７９】
そして、各ベルト８７、８９が、アキレス腱保護部５の各貫通孔９５、９７を通ってアキレス腱保護部５を支持するようになっている。
【００８０】
なお、前記各実施形態に係る防護靴は、靴部と、一部の部位（たとえば、前記靴部の外側で前記靴部の後方に位置し下側に位置する一部の部位）が前記靴部に一体的に設けられており他の一部の部位（たとえば、上側に位置する一部の部位）位置決め調整されて前記靴部に着脱自在なように設けられていると共に、前記上側に位置する一部の部位を前記靴部に設置した状態であっても前記下側に位置する一部の部位を中心にして前記靴部に対し僅かに回動するようになっているアキレス腱保護部とを有する防護靴の例である。
【図面の簡単な説明】
【００８１】
【図１】本発明の第１の実施形態に係る防護靴１の構成を示す図である。
【図２】防護靴１の構成を示す図である。
【図３】防護靴１の構成を示す図である。
【図４】防護靴１の構成を示す図である。
【図５】防護靴１の構成を示す図である。
【図６】防護靴１の構成を示す図である。
【図７】防護靴１の構成を示す図である。
【図８】防護靴１の構成を示す図である。
【図９】防護靴１の構成を示す図である。
【図１０】防護靴１の構成を示す図である。
【図１１】防護靴１の構成を示す図である。
【図１２】防護靴１の構成を示す図である。
【図１３】防護靴１の構成を示す図である。
【図１４】防護靴１の構成を示す図である。
【図１５】防護靴１の構成を示す図である。
【図１６】防護靴１の構成を示す図である。
【図１７】防護靴１の構成を示す図である。
【図１８】防護靴１の構成を示す図である。
【図１９】防護靴１の構成を示す図である。
【図２０】防護靴１の構成を示す図である。
【図２１】防護靴１の構成を示す図である。
【図２２】防護靴１の構成を示す図である。
【図２３】本発明の第２の実施形態に係る防護靴１ａの構成を示す図である。
【図２４】防護靴１ａの構成を示す図である。
【図２５】防護靴１ａの構成を示す図である。
【図２６】防護靴１ａの構成を示す図である。
【図２７】防護靴１ａの構成を示す図である。
【図２８】本発明の第３の実施形態に係る防護靴１ｂ構成を示す図である。
【図２９】防護靴１ｂ構成を示す図である。
【図３０】防護靴１ｂ構成を示す図である。
【図３１】防護靴１ｂ構成を示す図である。
【図３２】防護靴１ｂ構成を示す図である。
【図３３】防護靴１ｂ構成を示す図である。
【符号の説明】
【００８２】
１、１ａ、１ｂ  防護靴
３  靴部
５  アキレス腱保護部
１３  第１の部位
１５  第２の部位
１７  第３の部位
１９  第１の部位
２９  ベルト
【図１】
0005002355.tif 000002
【図２】
0005002355.tif 000003
【図３】
0005002355.tif 000004
【図４】
0005002355.tif 000005
【図５】
0005002355.tif 000006
【図６】
0005002355.tif 000007
【図７】
0005002355.tif 000008
【図８】
0005002355.tif 000009
【図９】
0005002355.tif 000010
【図１０】
0005002355.tif 000011
【図１１】
0005002355.tif 000012
【図１２】
0005002355.tif 000013
【図１３】
0005002355.tif 000014
【図１４】
0005002355.tif 000015
【図１５】
0005002355.tif 000016
【図１６】
0005002355.tif 000017
【図１７】
0005002355.tif 000018
【図１８】
0005002355.tif 000019
【図１９】
0005002355.tif 000020
【図２０】
0005002355.tif 000021
【図２１】
0005002355.tif 000022
【図２２】
0005002355.tif 000023
【図２３】
0005002355.tif 000024
【図２４】
0005002355.tif 000025
【図２５】
0005002355.tif 000026
【図２６】
0005002355.tif 000027
【図２７】
0005002355.tif 000028
【図２８】
0005002355.tif 000029
【図２９】
0005002355.tif 000030
【図３０】
0005002355.tif 000031
【図３１】
0005002355.tif 000032
【図３２】
0005002355.tif 000033
【図３３】
0005002355.tif 000034